(57)【要約】【課題】  適切な反射残響音効果を付与する。【解決手段】  個別反射残響音付与部２１０Ａ1において、信号ＳＣＤL，ＳＣＤSRを受けた無相関化部２１５が、信号ＳＣＤLに対して、信号ＳＣＤSRとの相関を除去する無相関化処理を施し、信号ＮＣＤLを生成する。引き続き、反射音信号生成部２１６が、信号ＮＣＤLに基づいて反射残響音信号ＲＤＡLを生成する。そして、加算部２１２が、信号ＳＣＤSRと反射残響音信号ＲＤＡLとを加算し、信号ＳＣＤSRに、信号ＳＣＤSRとは相関のない反射残響音信号ＲＤＡLを重畳させ、信号ＳＣＤSRに対応するスピーカユニットへ向けて送る信号ＰＣＤSRを生成する。また、個別反射残響音付与部２１０Ａ2において、個別反射残響音付与部２１０Ａ1の場合と同様にして、信号ＳＣＤSLに、信号ＳＣＤSLとは相関のない反射残響音信号ＲＤＡRを重畳させ、信号ＳＣＤSLに対応するスピーカユニットへ向けて送る信号ＰＣＤSLを生成する。【選択図】  図５
2009225407.tif 000002
【特許請求の範囲】
【請求項１】
第１スピーカ及び第２スピーカを含む複数のスピーカから音場空間へ向けて音声を出力させる音響装置であって、
前記第１スピーカに対応する第１チャンネル信号に基づいて、前記第１スピーカからの再生音声の反射残響音に対応する反射残響音信号を生成する生成手段と；
前記生成手段により生成された前記反射残響音信号と、前記第２スピーカに対応する第２チャンネル信号とを合成し、前記第２スピーカに供給する合成手段と；を備え、
前記生成手段は、前記第２チャンネル信号との相関を考慮した前記反射残響音信号を生成する、
ことを特徴とする音響装置。
【請求項２】
前記生成手段は、
前記第１チャンネル信号の前記第２チャンネル信号に対する相関を低減させる無相関化手段と；
前記無相関化手段により生成された無相関化信号に基づいて、前記反射残響音信号を生成する信号生成手段と；
を備えることを特徴とする請求項１に記載の音響装置。
【請求項３】
前記生成手段は、
前記第１チャンネル信号と前記第２チャンネル信号との相関を評価する評価手段と；
前記評価手段による評価結果に基づいて決定された減衰率で、前記第１チャンネル信号を減衰させる減衰手段と；
前記減衰手段による減衰結果に基づいて、前記反射残響音信号を生成する反射音信号生成手段と；
を備えることを特徴とする請求項１に記載の音響装置。
【請求項４】
前記生成手段は、
前記第１チャンネル信号に基づいて、反射音信号を生成する反射音生成手段と；
前記反射音信号と前記第２チャンネル信号との相関を評価する評価手段と；
前記評価手段による評価結果に基づいて決定された減衰率で、前記反射音信号を減衰させて、前記反射残響音信号を生成する減衰手段と；
を備えることを特徴とする請求項１に記載の音響装置。
【請求項５】
前記第２スピーカは、前記音場空間における想定聴取位置にとって、前記第１スピーカの配置位置とは反対側の位置に配置される、ことを特徴とする請求項１〜４のいずれか一項に記載の音響装置。
【請求項６】
第１スピーカ及び第２スピーカを含む複数のスピーカから音場空間へ向けて音声を出力させる音声再生方法であって、
前記第１スピーカに対応する第１チャンネル信号に基づいて、前記第１スピーカからの再生音声の反射残響音に対応する反射残響音信号を生成する生成工程と；
前記生成工程において生成された前記反射残響音信号と、前記第２スピーカに対応する第２チャンネル信号とを合成し、前記第２スピーカに供給する合成工程と；を備え、
前記生成工程では、前記第２チャンネル信号との相関を考慮した前記反射残響音信号を生成する、
ことを特徴とする音声再生方法。
【請求項７】
請求項６に記載の音声再生方法を演算手段に実行させる、ことを特徴とする音声再生プログラム。
【請求項８】
請求項７に記載の音声再生プログラムが、演算手段により読み取り可能に記録されている、ことを特徴とする記録媒体。
【発明の詳細な説明】
【技術分野】
【０００１】
本発明は、音響装置、音声再生方法、音声再生プログラム、及び、当該音声再生プログラムが記録された記録媒体に関する。
【背景技術】
【０００２】
従来から、楽曲等を再生する音響装置が広く普及している。こうした音響装置は、一般に一般家屋内や車両内に設置され、利用者の利用に供せられる。かかる音響装置に関する技術の発展は目覚しく、コンサートホール等において発生する反射残響音までも模擬的に発生させる技術が提案されている（特許文献１等参照：以下、「従来例」という）。
【０００３】
かかる従来の技術では、メイン音響信号の所定チャンネル信号に基づいて振幅レベル及び遅延時間が規則的に変化する反射残響音信号を生成する。そして、生成された反射残響音信号と、反射残響音を出力すべきスピーカに対応するチャンネル信号とを加算するようになっている。
【０００４】
【特許文献１】実公平８−２７２０号公報
【発明の開示】
【発明が解決しようとする課題】
【０００５】
従来例の技術では、生成された反射残響音信号と、その反射残響音を出力すべきスピーカに対応するチャンネル信号とを加算して、そのスピーカから再生出力すべき音響信号を生成している。この結果、反射残響音信号が重畳されるチャンネル信号において既に反射残響音効果が考慮されており、強い同相の相関を有している場合には、加算される各信号が強め合うため、過大な反射残響音効果を奏することになってしまう。また、反射残響音信号が重畳されるチャンネル信号が反射残響音信号と強い逆相の相関を有している場合には、加算される各信号が打ち消し合うため、反射残響音効果を実現できないばかりではなく、そのチャンネル信号で表現しようと意図されていた音響効果を低減させることになってしまう。
【０００６】
このため、反射残響音信号が重畳されるチャンネル信号の態様を考慮して、反射残響音効果を適切に発揮することができる技術が望まれている。かかる要請に応えることが、本発明が解決すべき課題の一つとして挙げられる。
【０００７】
本発明は、上記の事情を鑑みてなされたものであり、適切な反射残響音効果を付与することができる音響装置及び音声再生方法を提供することを目的とする。
【課題を解決するための手段】
【０００８】
請求項１に記載の発明は、第１スピーカ及び第２スピーカを含む複数のスピーカから音場空間へ向けて音声を出力させる音響装置であって、前記第１スピーカに対応する第１チャンネル信号に基づいて、前記第１スピーカからの再生音声の反射残響音に対応する反射残響音信号を生成する生成手段と；前記生成手段により生成された前記反射残響音信号と、前記第２スピーカに対応する第２チャンネル信号とを合成し、前記第２スピーカに供給する合成手段と；を備え、前記生成手段は、前記第２チャンネル信号との相関を考慮した前記反射残響音信号を生成する、ことを特徴とする音響装置である。
【０００９】
請求項６に記載の発明は、第１スピーカ及び第２スピーカを含む複数のスピーカから音場空間へ向けて音声を出力させる音声再生方法であって、前記第１スピーカに対応する第１チャンネル信号に基づいて、前記第１スピーカからの再生音声の反射残響音に対応する反射残響音信号を生成する生成工程と；前記生成工程において生成された前記反射残響音信号と、前記第２スピーカに対応する第２チャンネル信号とを合成し、前記第２スピーカに供給する合成工程と；を備え、前記生成工程では、前記第２チャンネル信号との相関を考慮した前記反射残響音信号を生成する、ことを特徴とする音声再生方法である。
【００１０】
請求項７に記載の発明は、請求項６に記載の音声再生方法を演算手段に実行させる、ことを特徴とする音声再生プログラムである。
【００１１】
請求項８に記載の発明は、請求項７に記載の音声再生プログラムが、演算手段により読み取り可能に記録されている、ことを特徴とする記録媒体である。
【発明を実施するための最良の形態】
【００１２】
以下、本発明の実施形態を、添付図面を参照して説明する。なお、以下の説明及び図面においては、同一又は同等の要素には同一符号を付し、重複する説明を省略する。
【００１３】
［第１実施形態］
まず、本発明の第１実施形態を、図１〜図８を参照して説明する。
【００１４】
＜構成＞
図１には、第１実施形態に係る音響装置１００Ａの概略的な構成がブロック図にて示されている。なお、以下の説明においては、音響装置１００Ａは、車両ＣＲ（図２参照）に搭載される装置であるものとする。また、この音響装置１００Ａは、マルチチャンネルサラウンド方式の１つである４チャンネルサラウンド方式の音響信号に対する処理を行うものとする。ここで、４チャンネルサラウンド方式の音響信号とは、レフトチャンネル（以下、「Ｌチャンネル」という）、ライトチャンネル（以下、「Ｒチャンネル」という）、サラウンドレフトチャンネル（以下、「ＳＬチャンネル」という）及びサラウンドライトチャンネル（以下、「ＳＲチャンネル」という）の４チャンネル構成の音響信号をいうものとする。
【００１５】
図１に示されるように、音響装置１００Ａは、制御ユニット１１０Ａと、ドライブユニット１２０とを備えている。また、音響装置１００Ａは、スピーカユニット１３０L〜１３０SRと、表示ユニット１４０と、操作入力ユニット１５０とを備えている。
【００１６】
上記の制御ユニット１１０Ａは、音響装置１００Ａの全体を統括制御する。この制御ユニット１１０Ａの詳細については、後述する。
【００１７】
上記のドライブユニット１２０は、音声コンテンツが記録されたＤＶＤ等の記録媒体ＲＭがドライブユニット１２０に挿入されると、その旨を制御ユニット１１０Ａに報告する。そして、ドライブユニット１２０は、記録媒体ＲＭが挿入された状態で、制御ユニット１１０Ａから音声コンテンツの再生指令ＤＶＣを受けると、再生指定がなされた音声を記録媒体ＲＭから読み出す。かかる音声コンテンツの読み出し結果は、オーディオ信号であるコンテンツデータＣＴＤとして、制御ユニット１１０Ａへ向けて送られる。なお、記録媒体ＲＭには、音声コンテンツが、４チャンネルサラウンド方式で記録されているものとする。
【００１８】
上記のスピーカユニット１３０L〜１３０SRは、Ｌ〜ＳＲチャンネルに対応している。これらのスピーカユニット１３０j（ｊ＝Ｌ〜ＳＲ）のそれぞれは、制御ユニット１１０Ａから送られてきた出力音声信号における出力音声信号ＡＯＳjに従って、音声を再生して出力する。
【００１９】
本実施形態では、図２に示されるように、スピーカユニット１３０Lは、助手席側の前方ドア筐体内に配置される。このスピーカユニット１３０Lは、助手席側を向くように配設されている。
【００２０】
また、スピーカユニット１３０Rは、運転席側の前方ドア筐体内に配置される。このスピーカユニット１３０Rは、運転席側を向くように配設されている。
【００２１】
また、スピーカユニット１３０SLは、助手席側後部の筐体内に配置される。このスピーカユニット１３０SLは、助手席側の後部座席を向くように配設されている。
【００２２】
また、スピーカユニット１３０SRは、運転席側後部の筐体内に配置される。このスピーカユニット１３０SRは、運転席側の後部座席を向くように配設されている。
【００２３】
以上のように配置されたスピーカユニット１３０L〜１３０SRから、音場空間ＡＳＰへ向けて音声が出力されるようになっている。
【００２４】
なお、音場空間ＡＳＰにおける運転席の位置に想定聴取位置Ｐがあるものとする。この結果、想定聴取位置Ｐに対して、スピーカユニット１３０Lとスピーカユニット１３０SRとが互いに対角位置に配置され、スピーカユニット１３０Rとスピーカユニット１３０SLとが互いに対角位置に配置されるようになっている。
【００２５】
図１に戻り、上記の表示ユニット１４０は、例えば、（ｉ）液晶パネル、有機ＥＬ（Electro Luminescence）パネル、ＰＤＰ（Plasma Display Panel）等の表示デバイスと、（ii）制御ユニット１１０Ａから送出された表示制御データに基づいて、表示ユニット１４０全体の制御を行うグラフィックレンダラ等の表示コントローラと、（iii）表示画像データを記憶する表示画像メモリ等を備えて構成されている。この表示ユニット１４０は、制御ユニット１１０Ａからの表示データＩＭＤに従って、操作ガイダンス情報等を表示する。
【００２６】
上記の操作入力ユニット１５０は、音響装置１００Ａの本体部に設けられたキー部、及び／又はキー部を備えるリモート入力装置等により構成される。ここで、本体部に設けられたキー部としては、表示ユニット１４０の表示デバイスに設けられたタッチパネルを用いることができる。なお、キー部を有する構成に代えて、又は併用して音声認識技術を利用して音声にて入力する構成を採用することもできる。
【００２７】
この操作入力ユニット１５０を利用者が操作することにより、音響装置１００Ａの動作内容の設定が行われる。例えば、音声コンテンツの再生指令等の利用者による入力が、操作入力ユニット１５０を利用して行われる。こうした入力内容は、操作入力データＩＰＤとして、操作入力ユニット１５０から制御ユニット１１０Ａへ向けて送られる。
【００２８】
次に、上記の制御ユニット１１０Ａについて説明する。上述したように、制御ユニット１１０Ａは、音響装置１００Ａの全体を統括制御する。この制御ユニット１１０Ａは、図３に示されるように、チャンネル分離部１１１と、反射残響音付与部１１２Ａとを備えている。また、制御ユニット１１０Ａは、アナログ処理部１１３と、制御処理部１１５とを備えている。
【００２９】
上記のチャンネル分離部１１１は、ドライブユニット１２０からのコンテンツデータＣＴＤを受ける。そして、チャンネル分離部１１１は、コンテンツデータＣＴＤを展開し、オーディオ信号であるデジタル音データ信号を生成する。引き続き、チャンネル分離部１１１は、生成されたデジタル音データ信号を解析し、デジタル音データ信号に含まれるチャンネル指定情報に従って、デジタル音データ信号を、４チャンネルサラウンド方式におけるＬ〜ＳＲチャンネルに対応する４個の信号ＳＣＤL，ＳＣＤR，ＳＣＤSL，ＳＣＤSRに分離する。このようにして分離された信号ＳＣＤL〜ＳＣＤSRは、反射残響音付与部１１２Ａへ送られる。
【００３０】
なお、コンテンツデータＣＴＤがＬ，Ｒチャンネルの２チャンネルステレオ方式のデータであった場合には、コンテンツデータＣＴＤに基づいて、信号ＳＣＤL，ＳＣＤRを生成するとともに、信号ＳＣＤSL，ＳＣＤSRとして、いわゆるゼロレベル信号を生成するようになっている。
【００３１】
上記の反射残響音付与部１１２Ａは、チャンネル分離部１１１からの信号ＳＣＤL〜ＳＣＤSRを受ける。そして、反射残響音付与部１１２Ａは、信号ＳＣＤL〜ＳＣＤSRに反射残響音付与処理を施す。
【００３２】
なお、本第１実施形態では、スピーカユニット１３０Ｌに対応する信号ＳＣＤLに関する反射残響音信号を、想定聴取位置Ｐに対してスピーカユニット１３０Ｌの対角位置に配置されたスピーカユニット１３０SRに対応する信号ＳＣＤSRに重畳させるようになっている。また、スピーカユニット１３０Rに対応する信号ＳＣＤRに関する反射残響音信号を、想定聴取位置Ｐに対してスピーカユニット１３０Rの対角位置に配置されたスピーカユニット１３０SLに対応する信号ＳＣＤSLに重畳させるようになっている。
【００３３】
かかる機能を有する反射残響音付与部１１２Ａは、図４に示されるように、個別反射残響音付与部２１０Ａ1，２１０Ａ2を備えている。なお、反射残響音付与部１１２Ａは、信号ＳＣＤLをそのままの態様で、信号ＰＣＤLとしてアナログ処理部１１３へ送るとともに、信号ＳＣＤRをそのままの態様で、信号ＰＣＤRとしてアナログ処理部１１３へ送るようになっている。
【００３４】
上記の個別反射残響音付与部２１０Ａ1は、チャンネル分離部１１１からの信号ＳＣＤL，ＳＣＤSRを受ける。そして、個別反射残響音付与部２１０Ａ1は、信号ＳＣＤLに関する反射残響音信号を信号ＳＣＤSRに重畳させる。
【００３５】
上記の個別反射残響音付与部２１０Ａ2は、チャンネル分離部１１１からの信号ＳＣＤR，ＳＣＤSLを受ける。そして、個別反射残響音付与部２１０Ａ2は、信号ＳＣＤRに関する反射残響音信号を信号ＳＣＤSLに重畳させる。
【００３６】
以上の機能を有する個別反射残響音付与部２１０Ａ1（２１０Ａ2）は、図５に示されるように、生成手段としての反射残響音信号生成部２１１Ａと、合成手段としての加算部２１２とを備えている。
【００３７】
上記の反射残響音信号生成部２１１Ａは、チャンネル分離部１１１からの信号ＳＣＤL（ＳＣＤR），ＳＣＤSR（ＳＣＤSL）を受ける。そして、反射残響音信号生成部２１１Ａは、信号ＳＣＤL（ＳＣＤR）に関する反射残響音信号を生成する。かかる機能を有する反射残響音信号生成部２１１Ａは、無相関化手段としての無相関化部２１５と、信号生成手段としての反射音信号生成部２１６とを備えている。
【００３８】
上記の無相関化部２１５は、チャンネル分離部１１１からの信号ＳＣＤL（ＳＣＤR），ＳＣＤSR（ＳＣＤSL）を受ける。そして、無相関化部２１５は、信号ＳＣＤL（ＳＣＤR）に対して、信号ＳＣＤSR（ＳＣＤSL）との相関を除去する無相関化処理を施す。この無相関化処理により生成された信号ＮＣＤL（ＮＣＤR）は、反射音信号生成部２１６へ送られる。
【００３９】
なお、本第１実施形態では、無相関化部２１５は、適応フィルタとして構成されている。すなわち、無相関化部２１５は、図６に示されるように、デジタルフィルタ部２５１と、減算部２５２と、係数算出部２５３とを備えている。
【００４０】
上記のデジタルフィルタ部２５１は、本実施形態では、ＦＩＲ（Finite Impulse Response）フィルタとして構成されている。このデジタルフィルタ部２５１は、チャンネル分離部１１１からの信号ＳＣＤSR（ＳＣＤSL）を受ける。そして、デジタルフィルタ部２５１は、係数算出部２５３からの係数指定ＣＥＦに従って、フィルタリング演算を行う。かかる機能を有するデジタルフィルタ部２５１は、Ｍ個の遅延器２５６1〜２５６Mと、（Ｍ＋１）個の係数倍器２５７0〜２５７Mと、加算器２５８とを備えている。
【００４１】
上記の遅延器２５６j（ｊ＝１〜Ｍ）のそれぞれは、入力した信号Ｘj-1（Ｔ）を単位遅延時間τだけ遅延させ、信号Ｘj（Ｔ）として出力する。ここで、信号Ｘ0（Ｔ）が、チャンネル分離部１１１からの信号ＳＣＤSR（ＳＣＤSL）となっている。この結果、信号Ｘj（Ｔ）と信号Ｘ0（Ｔ）との関係は、次の（１）式で表される。
Ｘj（Ｔ）＝Ｘ0（Ｔ−ｊ・τ）              …（１）
【００４２】
なお、本実施形態では、遅延器２５６jのそれぞれは、周期τの不図示の基準クロックに同期して信号Ｘj-1（Ｔ）をサンプリングして出力する。このため、単位遅延時間τの間、サンプリング結果が遅延器２５６jに保持されて、出力されるようになっている。
【００４３】
遅延器２５６jにより生成された信号Ｘj（Ｔ）は、係数倍器２５７jへ向けて送られる。なお、係数倍器２５７0へは、信号Ｘ0（Ｔ）が送られるようになっている。また、信号ＸM（Ｔ）は、係数算出部２５３へも送られるようになっている。
【００４４】
上記の係数倍器２５７m（ｍ＝０〜Ｍ）のそれぞれは、信号Ｘm（Ｔ）、及び、係数算出部２５３からの係数指定ＣＥＦにおけるタップ係数Ｖm（Ｔ）を受ける。そして、係数倍器２５７mは、信号Ｘm（Ｔ）とタップ係数Ｖm（Ｔ）とを乗算する。この乗算の結果は、加算部２５８へ送られる。
【００４５】
上記の加算部２５８は、係数倍器２５７0〜２５７Mによる乗算結果［Ｘ0（Ｔ）・Ｖ0（Ｔ）］〜［ＸM（Ｔ）・ＶM（Ｔ）］を受ける。そして、加算部２５８は、次の（２）式により、信号Ｙ（Ｔ）を算出し、減算部２５２へ送る。
Ｙ（Ｔ）＝Ｘ0（Ｔ）・Ｖ0（Ｔ）＋…＋ＸM（Ｔ）・ＶM（Ｔ）      …（２）
【００４６】
上記の減算部２５２は、チャンネル分離部１１１からの信号ＳＣＤL（ＳＣＤR）（＝Ｚ（Ｔ））及びデジタルフィルタ部２５１からの信号Ｙ（Ｔ）を受ける。そして、減算部２５２は、次の（３）式により、誤差信号Ｅ（Ｔ）を算出する。
Ｅ（Ｔ）＝Ｚ（Ｔ）−Ｙ（Ｔ）            …（３）
【００４７】
こうして算出された信号Ｅ（Ｔ）が、信号ＮＣＤL（ＮＣＤR）として、反射音信号生成部２１６及び係数算出部２５３へ送られる。
【００４８】
上記の係数算出部２５３は、デジタルフィルタ部２５１からの信号ＸM（Ｔ）及び減算部２５２からの信号Ｅ（Ｔ）を受ける。そして、係数算出部２５３は、次の（４）式により、次回に利用されるタップ係数Ｖm（Ｔ＋τ）を算出する。
Ｖm（Ｔ＋τ）＝Ｖm（Ｔ）＋μ・Ｅ（Ｔ）・Ｘm（Ｔ）    …（４）
ここで、値μは、適応制御における収束強度を決める更新ステップパラメータであり、適切な反射残響音効果の発揮の観点から、実験、シミュレーション、経験等に基づいて、予め定められる。
【００４９】
こうして算出されたタップ係数Ｖ0（Ｔ＋τ）〜ＶM（Ｔ＋τ）が、時刻（Ｔ+τ）における利用のために、係数指定ＣＥＦとしてデジタルフィルタ部２５１へ送られる。より詳しくは、タップ係数Ｖm（Ｔ＋τ）が、上述した係数倍器２５７mへ送られる。この結果、係数倍器２５７mに供給されるタップ係数が更新される。
【００５０】
以上のような構成の無相関化部２１５により、信号ＳＣＤL（ＳＣＤR）から、信号ＳＣＤSR（ＳＣＤSL）との相関が除去される。
【００５１】
図５に戻り、上記の反射音信号生成部２１６は、無相関化部２１５からの信号ＮＣＤL（ＮＣＤR）を受ける。そして、反射音信号生成部２１６は、信号ＮＣＤL（ＮＣＤR）に基づいて、反射音を生成する。かかる機能を有する反射音信号生成部２１６は、図７に示されるように、Ｍ個の遅延部２６１1〜２６１Mと、Ｍ個の減衰部２６２1〜２６２Mと、加算部２６３とを備えている。
【００５２】
上記の遅延部２６１m（ｍ＝１〜Ｍ）のそれぞれは、入力した信号Ｘm-1（Ｔ）を遅延時間ＴDだけ遅延させ、信号Ｘm（Ｔ）を生成する。遅延部２６１mにより生成された信号Ｘm（Ｔ）は、減衰部２６２mへ送られる。
【００５３】
ここで、信号Ｘ0（Ｔ）が、無相関化部２１５からの信号ＮＣＤL（ＮＣＤR）となっている。この結果、信号Ｘ0（Ｔ）と信号Ｘm（Ｔ）との関係は、次の（５）式で表される。
Ｘm（Ｔ）＝Ｘ0（Ｔ−ｍ・ＴD）              …（５）
【００５４】
なお、遅延時間ＴDは、反射音効果の観点から、実験、シミュレーション、経験等に基づいて、予め定められる。
【００５５】
上記の減衰部２６２m（ｍ＝０〜Ｍ）のそれぞれは、信号Ｘm（Ｔ）を受ける。そして、減衰部２６２mは、係数Ｋmを信号Ｘm（Ｔ）に乗じる。この乗算結果は、加算部２６３へ送られる。
【００５６】
ここで、係数Ｋmは、次の（６）式で表される。
Ｋm＝ｒm                  …（６）
【００５７】
なお、定数ｒは、１未満の定数であり、反射音効果の観点から、実験、シミュレーション、経験等に基づいて、予め定められる。
【００５８】
上記の加算部２６３は、減衰部２６２1〜２６２Mによる乗算結果［Ｋ1・Ｘ1（Ｔ）］〜［ＫM・ＸM（Ｔ）］を受ける。そして、加算部２６３は、これらの乗算結果を加算することにより、反射音信号を生成する。こうして信号ＳＣＤSR（ＳＣＤSL）とは相関を有していない反射音信号が生成され、反射残響音信号ＲＤＡL（ＲＤＡR）として、加算部２１２へ送られる。
【００５９】
図５に戻り、加算部２１２は、チャンネル分離部１１１からの信号ＳＣＤSR（ＳＣＤSL）及び反射残響音信号生成部２１１Ａからの反射残響音信号ＲＤＡL（ＲＤＡR）を受ける。そして、加算部２１２は、信号ＳＣＤSR（ＳＣＤSL）と反射残響音信号ＲＤＡL（ＲＤＡR）とを加算する。
【００６０】
この結果、信号ＳＣＤSR（ＳＣＤSL）に反射残響音信号ＲＤＡL（ＲＤＡR）が重畳された信号ＰＣＤSR（ＰＣＤSL）が生成される。こうして生成された信号ＰＣＤSR（ＰＣＤSL）は、アナログ処理部１１３へ送られる。
【００６１】
図３に戻り、上記のアナログ処理部１１３は、反射残響音付与部１１２Ａからの信号ＰＣＤL〜ＰＣＤSRを受ける。そして、アナログ処理部１１３は、制御処理部１１５による制御のもとで、出力音声信号ＡＯＳL〜ＡＯＳSRを生成し、スピーカユニット１３０L〜１３０SRへ送る。かかる機能を有するアナログ処理部１１３は、図８に示されるように、ＤＡ（Digital to Analogue）変換部２３１と、音量調整部２３２と、パワー増幅部２３３とを備えている。
【００６２】
上記のＤＡ変換部２３１は、反射残響音付与部１１２Ａからの信号ＰＣＤL〜ＰＣＤSRを受ける。そして、ＤＡ変換部２３１は、信号ＰＣＤL〜ＰＣＤSRをアナログ信号に変換する。このＤＡ変換部２３１は、４種のデジタル信号に対応して、互いに同様に構成された４個のＤＡ変換器を備えている。ＤＡ変換部２３１による変換結果であるアナログ信号ＡＣＳL〜ＡＣＳSRは、音量調整部２３２へ送られる。
【００６３】
上記の音量調整部２３２は、ＤＡ変換部２３１からのアナログ信号ＡＣＳL〜ＡＣＳSRを受ける。そして、音量調整部２３２は、制御処理部１１５からの音量調整指令ＶＬＣに従って、アナログ信号ＡＣＳL〜ＡＣＳSRに対して音量調整処理を施す。この音量調整部２３２は、本実施形態では、４種のアナログ信号に対応して、互いに同様に構成された４個の電子ボリューム素子等を備えて構成されている。音量調整部２３２による調整結果であるアナログ信号ＶＣＳL〜ＶＣＳSRは、パワー増幅部２３３へ送られる。
【００６４】
上記のパワー増幅部２３３は、音量調整部２３２からのアナログ信号ＶＣＳL〜ＶＣＳSRを受ける。そして、パワー増幅部２３３は、アナログ信号ＶＣＳL〜ＶＣＳSRをパワー増幅する。このパワー増幅部２３３は、４種のアナログ信号に対応して、互いに同様に構成された４個のパワー増幅器を備えている。パワー増幅部２３３による増幅結果である出力音声信号ＡＯＳL〜ＡＯＳSRは、スピーカユニット１３０L〜１３０SRへ送られる。
【００６５】
図３に戻り、次に、制御処理部１１５について説明する。この制御処理部１１５は、他の構成要素を制御しつつ、音響装置１００Ａの機能を発揮させる。この制御処理部１１５は、表示データＩＭＤを出力し、利用者が再生すべき音声コンテンツの指定を支援するための案内画面を表示ユニット１４０に表示させる。そして、操作入力ユニット１５０から音声コンテンツを指定した再生指令が入力されると、制御処理部１１５は、再生指令ＤＶＣをドライブユニット１２０へ向けて発行し、再生コンテンツのデータ読み出しを制御する。
【００６６】
また、制御処理部１１５は、音量調整部２３２を制御して、スピーカユニット１３０L〜１３０SRからの出力音量を調整する。この出力音量の制御に際して、制御処理部１１５は、操作入力ユニット１５０に入力された音量指定に従って音量調整指令ＶＬＣを生成し、音量調整部２３２へ向けて送る。
【００６７】
＜動作＞
次に、上記のように構成された音響装置１００Ａの動作について、反射残響音付与処理に主に着目して説明する。
【００６８】
利用者が、ドライブユニット１２０に記録媒体ＲＭを挿入して、操作入力ユニット１５０に音声コンテンツを指定した再生指令を入力すると、その旨が、操作入力データＩＰＤとして、制御処理部１１５へ送られる（図３参照）。この再生指令を受けると、制御処理部１１５は、再生指令ＤＶＣをドライブユニット１２０へ向けて発行し、再生コンテンツのデータ読み出しを制御する。
【００６９】
かかる制御のもとで、記録媒体ＲＭから読み出されたコンテンツデータＣＴＤは、チャンネル分離部１１１へ送られる（図３参照）。コンテンツデータＣＴＤを受けたチャンネル分離部１１１は、コンテンツデータＣＴＤを展開して解析し、４チャンネルサラウンド方式におけるＬ〜ＳＲチャンネルに対応する４個の信号ＳＣＤL〜ＳＣＤSRに分離する。こうして分離された信号ＳＣＤL〜ＳＣＤSRは、反射残響音付与部１１２Ａへ送られる（図３参照）。
【００７０】
信号ＳＣＤL〜ＳＣＤSRを受けた反射残響音付与部１１２Ａは、信号ＳＣＤLをそのままの態様で、信号ＰＣＤLとしてアナログ処理部１１３へ送るとともに、信号ＳＣＤRをそのままの態様で、信号ＰＣＤRとしてアナログ処理部１１３へ送る（図４参照）。一方、反射残響音付与部１１２Ａでは、個別反射残響音付与部２１０Ａ1，２１０Ａ2が、反射残響音付与処理を行う。
【００７１】
かかる反射残響音付与処理では、個別反射残響音付与部２１０Ａ1が、信号ＳＣＤLの関する反射残響音信号を信号ＳＣＤSRに重畳させる。また、個別反射残響音付与部２１０Ａ2が、信号ＳＣＤRに関する反射残響音信号を信号ＳＣＤSLに重畳させる。
【００７２】
より詳細には、個別反射残響音付与部２１０Ａ1では、信号ＳＣＤL，ＳＣＤSRを受けた無相関化部２１５が、信号ＳＣＤLに対して、信号ＳＣＤSRとの相関を除去する無相関化処理を施し、信号ＮＣＤLとして反射音信号生成部２１６へ送る。信号ＮＣＤLを受けた反射音信号生成部２１６は、上述したように、信号ＮＣＤLに基づいて反射音を生成し、反射残響音信号ＲＤＡLとして加算部２１２へ送る（図５参照）。
【００７３】
そして、加算部２１２が、信号ＳＣＤSRと反射残響音信号ＲＤＡLとを加算することにより、信号ＳＣＤSRに、信号ＳＣＤSRとは相関のない反射残響音信号ＲＤＡLを重畳させ、信号ＰＣＤSRを生成する。こうして生成された信号ＰＣＤSRは、アナログ処理部１１３へ送られる（図５参照）。
【００７４】
一方、個別反射残響音付与部２１０Ａ2では、上記の個別反射残響音付与部２１０Ａ1と同様にして、信号ＳＣＤRに関する反射残響音信号ＲＤＡRを信号ＳＣＤSLに重畳させ、信号ＰＣＤSLを生成する。こうして生成された信号ＰＣＤSLは、アナログ処理部１１３へ送られる（図５参照）。
【００７５】
この後、信号ＰＣＤL〜ＰＣＤSRは、ＤＡ変換部２３１においてアナログ信号ＡＣＳL〜ＡＣＳSRに変換される。引き続き、音量調整部２３２が、制御処理部１１５からの音量調整指令ＶＬＣに従って、アナログ信号ＡＣＳL〜ＡＣＳSRに対して音量調整処理を施し、アナログ信号ＶＣＳL〜ＶＣＳSRとして、パワー増幅部２３３へ送る（図８参照）。
【００７６】
アナログ信号ＶＣＳL〜ＶＣＳSRを受けたパワー増幅部２３３は、アナログ信号ＶＣＳL〜ＶＣＳSRをパワー増幅して、出力音声信号ＡＯＳL〜ＡＯＳSRを生成し、スピーカユニット１３０L〜１３０SRへ送る。そして、スピーカユニット１３０L〜１３０SRが、出力音声信号ＡＯＳL〜ＡＯＳSRに従って、音声を再生出力する。
【００７７】
この結果、スピーカユニット１３０L,１３０Rからは、音声コンテンツにおけるＬ，Ｒチャンネル音声が再生出力される。また、スピーカユニット１３０SLからは、音声コンテンツにおけるＳＬチャンネル音声に、当該ＳＬチャンネル音声とは相関のない態様のＲチャンネル音声の反射残響音が重畳された音声が再生出力される。また、スピーカユニット１３０SRからは、音声コンテンツにおけるＳＲチャンネル音声に、当該ＳＲチャンネル音声とは相関のない態様のＬチャンネル音声の反射残響音が重畳された音声が再生出力される。
【００７８】
以上説明したように、本第１実施形態では、個別反射残響音付与部２１０Ａ1において、信号ＳＣＤL，ＳＣＤSRを受けた無相関化部２１５が、信号ＳＣＤLに対して、信号ＳＣＤSRとの相関を除去する無相関化処理を施し、信号ＮＣＤLを生成する。引き続き、反射音信号生成部２１６が、信号ＮＣＤLに基づいて反射残響音信号ＲＤＡLを生成する。そして、加算部２１２が、信号ＳＣＤSRと反射残響音信号ＲＤＡLとを加算することにより、信号ＳＣＤSRに、信号ＳＣＤSRとは相関のない反射残響音信号ＲＤＡLを重畳させ、スピーカユニット１３０SRへ向けて供給すべき信号ＰＣＤSRを生成する。
【００７９】
また、個別反射残響音付与部２１０Ａ2において、個別反射残響音付与部２１０Ａ1の場合と同様にして、信号ＳＣＤSLに、信号ＳＣＤSLとは相関のない反射残響音信号ＲＤＡRを重畳させ、スピーカユニット１３０SLへ向けて供給すべき信号ＰＣＤSLを生成する。
【００８０】
このため、スピーカユニット１３０SLから、音声コンテンツにおけるＳＬチャンネル音声に、当該ＳＬチャンネル音声とは相関のない態様のＲチャンネル音声の反射残響音が重畳された音声を再生出力させることができる。また、スピーカユニット１３０SRからは、音声コンテンツにおけるＳＲチャンネル音声に、当該ＳＲチャンネル音声とは相関のない態様のＬチャンネル音声の反射残響音が重畳された音声を再生出力させることができる。
【００８１】
したがって、本第１実施形態によれば、反射残響音効果が過大になったり、反射残響音が重畳されるチャンネルで表現しようと意図されていた音響効果を低減させたりすることを抑止し、適切な反射残響音効果を実現することができる。
【００８２】
本第１実施形態では、スピーカユニット１３０Lから再生出力されるＬチャンネル音声の反射残響音を、想定聴取位置Ｐに対して、スピーカユニット１３０Lの対角位置に配置されたスピーカユニット１３０SRから出力させる。また、スピーカユニット１３０Rから再生出力されるＲチャンネル音声の反射残響音を、想定聴取位置Ｐに対して、スピーカユニット１３０Rの対角位置に配置されたスピーカユニット１３０SLから出力させる。このため、さらに適切な反射音効果を実現することができる。
【００８３】
［第２実施形態］
次に、本発明の第２実施形態を、主に図９〜図１１を参照して説明する。
【００８４】
＜構成＞
図９には、第２実施形態に係る音響装置１００Ｂの概略的な構成がブロック図にて示されている。この図９に示されるように、音響装置１００Ｂは、上述した第１実施形態の音響装置１００Ａ（図１参照）と比べて、制御ユニット１１０Ａに代えて制御ユニット１１０Ｂを備える点が異なっている。この制御ユニット１１０Ｂは、上述した制御ユニット１１０Ａ（図３参照）と比べて、反射残響音付与部１１２Ａに代えて、図１０に示される構成の反射残響音付与部１１２Ｂを備えている点のみが異なっている。以下、この相違点に主に着目して説明する。
【００８５】
図１０に示されるように、反射残響音付与部１１２Ｂは、上述した反射残響音付与部１１２Ｂ（図４参照）と比べて、個別反射残響音付与部２１０Ａ1，２１０Ａ2に代えて、個別反射残響音付与部２１０Ｂ1，２１０Ｂ2を備えている。これらの個別反射残響音付与部２１０Ｂ1，２１０Ｂ2は、図１１に示されるように、上述した個別反射残響音付与部２１０Ａ1，２１０Ａ2と比べて、反射残響音信号生成部２１１Ａに代えて反射残響音信号生成部２１１Ｂを備える点が異なっている。
【００８６】
図１１に示されるように、反射残響音信号生成部２１１Ｂは、評価手段としての相関評価部２１７と、減衰手段としての減衰部２１８とを備えている。また、反射残響音信号生成部２１１Ｂは、反射音信号生成手段としての反射音生成部２１６を備えている。
【００８７】
上記の相関評価部２１７は、チャンネル分離部１１１からの信号ＳＣＤL（ＳＣＤR），ＳＣＤSR（ＳＣＤSL）を受ける。引き続き、相関評価部２１７は、信号ＳＣＤL（ＳＣＤR）と信号ＳＣＤSR（ＳＣＤSL）との間の相関を評価することにより、ひいては、信号ＳＣＤSR（ＳＣＤSL）と、後述する反射残響音信号ＲＤＢL（ＲＤＢR）との間の相関の評価を行う。そして、当該評価の結果に基づいて、減衰部２１８に設定する係数を指定した減衰制御信号ＡＣＢL（ＡＣＢR）を生成する。
【００８８】
こうした減衰制御信号ＡＣＢL（ＡＣＢR）の生成に際して、相関評価部２１７は、信号ＳＣＤL（ＳＣＤR），ＳＣＤSR（ＳＣＤSL）間の相関量に対応して、同相又は逆相で相関が強いほど係数を小さくし、相関が弱いほど係数を大きくする態様で、当該係数の値を決定する。なお、本第２実施形態では、当該係数が「０」から「１」までの範囲で変化するようになっている。こうして決定された係数を指定した減衰制御信号ＡＣＢL（ＡＣＢR）は、減衰部２１８へ向けて送られる。
【００８９】
上記の減衰部２１８は、チャンネル分離部１１２からの信号ＳＣＤL（ＳＣＤR）を受けるとともに、相関評価部２１７からの減衰制御信号ＡＣＢL（ＡＣＢR）を受ける。そして、減衰部２１８は、減衰制御信号ＡＣＢL（ＡＣＢR）により指定された係数を信号ＳＣＤL（ＳＣＤR）に乗じる。この結果、信号ＳＣＤL（ＳＣＤR），ＳＣＤSR（ＳＣＤSL）が同相又は逆相で相関が強いほど大きく、相関が弱いほど小さな減衰率で、信号ＳＣＤL（ＳＣＤR）が減衰される。減衰部２１８による乗算結果は、信号ＡＴＤL（ＡＴＤR）として、反射音信号生成部２１６へ送られる。
【００９０】
上記の反射音信号生成部２１６は、信号ＡＴＤL（ＡＴＤR）に基づいて、上述した第１実施形態の場合と同様に動作して、反射音信号を生成する。こうして生成された反射音信号が、反射残響音信号ＲＤＢL（ＲＤＢR）として、加算部２１２へ送られる。
【００９１】
＜動作＞
次に、上記のように構成された音響装置１００Ｂの動作について、反射残響音付与処理に主に着目して説明する。
【００９２】
利用者が、ドライブユニット１２０に記録媒体ＲＭを挿入して、操作入力ユニット１５０に音声コンテンツを指定した再生指令を入力すると、第１実施形態の場合と同様に、その旨が、操作入力データＩＰＤとして、制御処理部１１５へ送られる。この再生指令を受けると、制御処理部１１５は、再生指令ＤＶＣをドライブユニット１２０へ向けて発行し、再生コンテンツのデータ読み出しを制御する。
【００９３】
かかる制御のもとで、第１実施形態の場合と同様に、記録媒体ＲＭから読み出されたコンテンツデータＣＴＤは、チャンネル分離部１１１へ送られる。コンテンツデータＣＴＤを受けたチャンネル分離部１１１は、コンテンツデータＣＴＤを展開して解析し、４チャンネルサラウンド方式におけるＬ〜ＳＲチャンネルに対応する４個の信号ＳＣＤL〜ＳＣＤSRに分離する。こうして分離された信号ＳＣＤL〜ＳＣＤSRは、反射残響音付与部１１２Ｂへ送られる。
【００９４】
信号ＳＣＤL〜ＳＣＤSRを受けた反射残響音付与部１１２Ｂは、第１実施形態における反射残響音付与部１１２Ａと同様に、信号ＳＣＤLをそのままの態様で、信号ＰＣＤLとしてアナログ処理部１１３へ送るとともに、信号ＳＣＤRをそのままの態様で、信号ＰＣＤRとしてアナログ処理部１１３へ送る（図１０参照）。一方、反射残響音付与部１１２Ｂでは、個別反射残響音付与部２１０Ｂ1，２１０Ｂ2が、反射残響音付与処理を行う。
【００９５】
かかる反射残響音付与処理では、個別反射残響音付与部２１０Ｂ1が、信号ＳＣＤLの関する反射残響音信号を信号ＳＣＤSRに重畳させる。また、個別反射残響音付与部２１０Ｂ2が、信号ＳＣＤRに関する反射残響音信号を信号ＳＣＤSLに重畳させる。
【００９６】
より詳細には、個別反射残響音付与部２１０Ｂ1では、信号ＳＣＤL，ＳＣＤSRを受けた相関評価部２１７が、信号ＳＣＤLと信号ＳＣＤSRとの間の相関の評価することにより、ひいては、信号ＳＣＤSRと、後述する反射残響音信号ＲＤＢLとの間の相関の評価を行う。そして、相関評価部２１７は、当該評価の結果に基づいて、減衰部２１８に設定する係数を指定した減衰制御信号ＡＣＢLを生成し、減衰部２１８へ送る（図１１参照）。
【００９７】
こうした減衰制御信号ＡＣＢLの生成に際して、相関評価部２１７は、信号ＳＣＤL，ＳＣＤSR間の相関量に対応して、同相又は逆相で相関が強いほど係数を小さくし、相関が弱いほど係数を大きくする態様で、「０」から「１」までの範囲で、当該係数の値を決定する。
【００９８】
減衰制御信号ＡＣＢLを受けた減衰部２１８は、チャンネル分離部１１２からの信号ＳＣＤLに、減衰制御信号ＡＣＢLにより指定された係数を乗じ、その乗算結果を信号ＡＴＤL（ＡＴＤR）として、反射音信号生成部２１６へ送る（図１１参照）。ここで、信号ＳＣＤL，ＳＣＤSRが同相又は逆相で相関が強いほど大きく、相関が弱いほど小さな減衰率で、信号ＳＣＤLが減衰されて、信号ＡＴＤLが生成される。
【００９９】
信号ＡＴＤLを受けた反射音信号生成部２１６は、信号ＡＴＤLに基づいて、上述した第１実施形態の場合と同様にして、反射音信号を生成し、反射残響音信号ＲＤＢLとして加算部２１２へ送る（図１１参照）。そして、加算部２１２が、信号ＳＣＤSRと反射残響音信号ＲＤＢLとを加算することにより、信号ＳＣＤSRに、信号ＳＣＤLとの相関に対応して信号レベルが調整された反射残響音信号ＲＤＢLを重畳させ、信号ＰＣＤSRを生成する。こうして生成された信号ＰＣＤSRは、アナログ処理部１１３へ送られる（図１１参照）。
【０１００】
一方、個別反射残響音付与部２１０Ｂ2では、上記の個別反射残響音付与部２１０Ｂ1での場合と同様にして、信号ＳＣＤRに関する反射残響音信号ＲＤＢRを信号ＳＣＤSLに重畳させ、信号ＰＣＤSLを生成する。こうして生成された信号ＰＣＤSLは、アナログ処理部１１３へ送られる（図１１参照）。
【０１０１】
この後、第１実施形態の場合と同様にして、信号ＰＣＤL〜ＰＣＤSRは、ＤＡ変換部２３１においてアナログ信号ＡＣＳL〜ＡＣＳSRに変換される。引き続き、音量調整部２３２が、制御処理部１１５からの音量調整指令ＶＬＣに従って、アナログ信号ＡＣＳL〜ＡＣＳSRに対して音量調整処理を施し、アナログ信号ＶＣＳL〜ＶＣＳRSRとして、パワー増幅部２３３へ送る（図８参照）。
【０１０２】
アナログ信号ＶＣＳL〜ＶＣＳSRを受けたパワー増幅部２３３は、第１実施形態の場合と同様にして、アナログ信号ＶＣＳL〜ＶＣＳSRをパワー増幅して、出力音声信号ＡＯＳL〜ＡＯＳSRを生成し、スピーカユニット１３０L〜１３０SRへ送る。そして、スピーカユニット１３０L〜１３０SRが、出力音声信号ＡＯＳL〜ＡＯＳSRに従って、音声を再生出力する。
【０１０３】
この結果、スピーカユニット１３０L,１３０Rからは、音声コンテンツにおけるＬ，Ｒチャンネル音声が再生出力される。また、スピーカユニット１３０SLからは、音声コンテンツにおけるＳＬチャンネル音声に、当該ＳＬチャンネル音声との相関に対応する音量レベルのＲチャンネル音声の反射残響音が重畳された音声が再生出力される。また、スピーカユニット１３０SRからは、音声コンテンツにおけるＳＲチャンネル音声に、当該ＳＲチャンネル音声との相関に対応する音量レベルのＬチャンネル音声の反射残響音が重畳された音声が再生出力される。
【０１０４】
以上説明したように、本第２実施形態では、個別反射残響音付与部２１０Ｂ1において、信号ＳＣＤL，ＳＣＤSRを受けた相関評価部２１７が、信号ＳＣＤLと信号ＳＣＤSRとの間の相関を評価することにより、信号ＳＣＤSRと反射残響音信号ＲＤＢLとの間の相関の評価を行う。そして、相関評価部２１７は、当該評価の結果に基づいて、減衰部２１８に設定する係数を指定した減衰制御信号ＡＣＢLを生成し、減衰部２１８へ送る。
【０１０５】
引き続き、減衰制御信号ＡＣＢLを受けた減衰部２１８が、チャンネル分離部１１２からの信号ＳＣＤLに、減衰制御信号ＡＣＢLにより指定された係数を乗じ、その乗算結果を信号ＡＴＤLとして、反射音信号生成部２１６へ送る（図１１参照）。ここで、信号ＳＣＤL，ＳＣＤSRが同相又は逆相で相関が強いほど大きく、相関が弱いほど小さな減衰率で、信号ＳＣＤLが減衰されて、信号ＡＴＤLが生成される。
【０１０６】
次に、信号ＡＴＤLを受けた反射音信号生成部２１６が、信号ＡＴＤLに基づいて、反射音信号を生成し、反射残響音信号ＲＤＢLとして加算部２１２へ送る。そして、加算部２１２が、信号ＳＣＤSRと反射残響音信号ＲＤＢLとを加算することにより、信号ＳＣＤSRに、信号ＳＣＤLとの相関に対応して信号レベルが調整された反射残響音信号ＲＤＢLを重畳させ、スピーカユニット１３０SRへ向けて供給すべき信号ＰＣＤSRを生成する。
【０１０７】
また、個別反射残響音付与部２１０Ｂ2が、個別反射残響音付与部２１０Ｂ1と同様に動作して、信号ＳＣＤSLに、信号ＳＣＤRとの相関に対応して信号レベルが調整された反射残響音信号ＲＤＢRを重畳させ、スピーカユニット１３０SLへ向けて供給すべき信号ＰＣＤSLを生成する。
【０１０８】
このため、スピーカユニット１３０SLから、音声コンテンツにおけるＳＬチャンネル音声に、Ｒチャンネル音声との相関に対応する音量レベルのＲチャンネル音声の反射残響音が重畳された音声が再生出力される。また、スピーカユニット１３０SRから、音声コンテンツにおけるＳＲチャンネル音声に、Ｌチャンネル音声との相関に対応する音量レベルのＬチャンネル音声の反射残響音が重畳された音声が再生出力される。
【０１０９】
したがって、本第２実施形態によれば、上述した第１実施形態の場合と同様に、反射残響音効果が過大になったり、反射残響音が重畳されるチャンネルで表現しようと意図されていた音響効果を低減させたりすることを抑止し、適切な反射残響音効果を実現することができる。
【０１１０】
本第２実施形態では、スピーカユニット１３０Lから再生出力されるＬチャンネル音声の反射残響音を、想定聴取位置Ｐに対して、スピーカユニット１３０Lの対角位置に配置されたスピーカユニット１３０SRから出力させる。また、スピーカユニット１３０Rから再生出力されるＲチャンネル音声の反射残響音を、想定聴取位置Ｐに対して、スピーカユニット１３０Rの対角位置に配置されたスピーカユニット１３０SLから出力させる。このため、上述した第１実施形態の場合と同様に、さらに適切な反射音効果を実現することができる。
【０１１１】
［第３実施形態］
次いで、本発明の第３実施形態を、主に図１２〜図１４を参照して説明する。
【０１１２】
＜構成＞
図１２には、第３実施形態に係る音響装置１００Ｃの概略的な構成がブロック図にて示されている。この図１２に示されるように、音響装置１００Ｃは、上述した第１実施形態の音響装置１００Ａ（図１参照）と比べて、制御ユニット１１０Ａに代えて制御ユニット１１０Ｃを備える点が異なっている。この制御ユニット１１０Ｃは、上述した制御ユニット１１０Ａ（図３参照）と比べて、反射残響音付与部１１２Ａに代えて、図１３に示される構成の反射残響音付与部１１２Ｃを備えている点のみが異なっている。以下、この相違点に主に着目して説明する。
【０１１３】
図１３に示されるように、反射残響音付与部１１２Ｃは、上述した反射残響音付与部１１２Ａ（図４参照）と比べて、個別反射残響音付与部２１０Ａ1，２１０Ａ2に代えて、個別反射残響音付与部２１０Ｃ1，２１０Ｃ2を備えている。これらの個別反射残響音付与部２１０Ｃ1，２１０Ｃ2は、図１４に示されるように、上述した個別反射残響音付与部２１０Ａ1，２１０Ａ2と比べて、反射残響音信号生成部２１１Ａに代えて反射残響音信号生成部２１１Ｃを備える点が異なっている。
【０１１４】
図１４に示されるように、反射残響音信号生成部２１１Ｃは、反射音信号生成手段としての反射音生成部２１６と、評価手段としての相関評価部２１７とを備えている。また、反射残響音信号生成部２１１Ｂは、減衰手段としての減衰部２１８を備えている。
【０１１５】
上記の反射音信号生成部２１６は、チャンネル分離部１１１からの信号ＳＣＤL（ＳＣＤR）に基づいて、上述した第１及び第２実施形態の場合と同様に動作して、反射音信号ＲＦＤL（ＲＦＤR）を生成する。こうして生成された反射音信号ＲＦＤL（ＲＦＤR）は、相関評価部２１７及び減衰部２１８へ送られる。
【０１１６】
上記の相関評価部２１７は、チャンネル分離部１１１からの信号ＳＣＤSR（ＳＣＤSL）及び反射音信号生成部２１６からの反射音信号ＲＦＤL（ＲＦＤR）を受ける。引き続き、相関評価部２１７は、第２実施形態の場合と同様に動作して、信号ＳＣＤSR（ＳＣＤSL）と反射音信号ＲＦＤL（ＲＦＤR）との間を相関の評価することにより、ひいては、信号ＳＣＤSR（ＳＣＤSL）と、後述する反射残響音信号ＲＤＣL（ＲＤＣR）との間の相関の評価を行う。そして、当該評価の結果に基づいて、減衰部２１８に設定する係数を指定した減衰制御信号ＡＣＣL（ＡＣＣR）を生成する。
【０１１７】
こうした減衰制御信号ＡＣＣL（ＡＣＣR）の生成に際して、相関評価部２１７は、信号ＳＣＤSR（ＳＣＤSL），ＲＤＣL（ＲＤＣR）間の相関量に対応して、上述の第２実施形態の場合と同様に、同相又は逆相で相関が強いほど係数を小さくし、相関が弱いほど係数を大きくする態様で、当該係数の値を決定する。なお、本第３実施形態でも、第２実施形態の場合と同様に、当該係数が「０」から「１」までの範囲で変化するようになっている。こうして決定された係数を指定した減衰制御信号ＡＣＣL（ＡＣＣR）は、減衰部２１８へ向けて送られる。
【０１１８】
上記の減衰部２１８は、反射音信号生成部２１６からの反射音信号ＲＦＤL（ＲＦＤR）を受けるとともに、相関評価部２１７からの減衰制御信号ＡＣＣL（ＡＣＣR）を受ける。そして、減衰部２１８は、減衰制御信号ＡＣＣL（ＡＣＣR）により指定された係数を信号反射音信号ＲＦＤL（ＲＦＤR）に乗じる。この結果、信号ＳＣＤSR（ＳＣＤSL），ＲＤＣL（ＲＤＣR）が同相又は逆相で相関が強いほど大きく、相関が弱いほど小さな減衰率で、信号ＲＦＤL（ＲＦＤR）が減衰される。減衰部２１８による乗算結果は、反射残響音信号ＲＤＣL（ＲＤＣR）として、加算部２１２へ送られる。
【０１１９】
＜動作＞
次に、上記のように構成された音響装置１００Ｃの動作について、反射残響音付与処理に主に着目して説明する。
【０１２０】
利用者が、ドライブユニット１２０に記録媒体ＲＭを挿入して、操作入力ユニット１５０に音声コンテンツを指定した再生指令を入力すると、第１及び第２実施形態の場合と同様に、その旨が、操作入力データＩＰＤとして、制御処理部１１５へ送られる。この再生指令を受けると、制御処理部１１５は、再生指令ＤＶＣをドライブユニット１２０へ向けて発行し、再生コンテンツのデータ読み出しを制御する。
【０１２１】
かかる制御のもとで、第１及び第２実施形態の場合と同様に、記録媒体ＲＭから読み出されたコンテンツデータＣＴＤは、チャンネル分離部１１１へ送られる。コンテンツデータＣＴＤを受けたチャンネル分離部１１１は、コンテンツデータＣＴＤを展開して解析し、４チャンネルサラウンド方式におけるＬ〜ＳＲチャンネルに対応する４個の信号ＳＣＤL〜ＳＣＤSRに分離する。こうして分離された信号ＳＣＤL〜ＳＣＤSRは、反射残響音付与部１１２Ｃへ送られる。
【０１２２】
信号ＳＣＤL〜ＳＣＤSRを受けた反射残響音付与部１１２Ｃは、第１及び第２実施形態における反射残響音付与部１１２Ａ，１１２Ｂと同様に、信号ＳＣＤLをそのままの態様で、信号ＰＣＤLとしてアナログ処理部１１３へ送るとともに、信号ＳＣＤRをそのままの態様で、信号ＰＣＤRとしてアナログ処理部１１３へ送る（図１３参照）。一方、反射残響音付与部１１２Ｃでは、個別反射残響音付与部２１０Ｃ1，２１０Ｃ2が、反射残響音付与処理を行う。
【０１２３】
かかる反射残響音付与処理では、個別反射残響音付与部２１０Ｃ1が、信号ＳＣＤLの関する反射残響音信号を信号ＳＣＤSRに重畳させる。また、個別反射残響音付与部２１０Ｃ2が、信号ＳＣＤRに関する反射残響音信号を信号ＳＣＤSLに重畳させる。
【０１２４】
より詳細には、個別反射残響音付与部２１０Ｃ1では、チャンネル分離部１１１からの信号ＳＣＤLを受けた反射音信号生成部２１６が、信号ＳＣＤLに基づいて、反射音信号ＲＦＤLを生成する。こうして生成された反射音信号ＲＦＤLは、相関評価部２１７及び減衰部２１８へ送られる（図１４参照）。
【０１２５】
引き続き、チャンネル分離部１１１からの信号ＳＣＤSR及び反射音信号生成部２１６からの反射音信号ＲＦＤLを受けた相関評価部２１７が、信号ＳＣＤSRと反射音信号ＲＦＤLとの間の相関の評価することにより、信号ＳＣＤSRと反射残響音信号ＲＤＢLとの間の相関の評価を行う。そして、相関評価部２１７は、当該評価の結果に基づいて、減衰部２１８に設定する係数を指定した減衰制御信号ＡＣＣLを生成し、減衰部２１８へ送る（図１４参照）。
【０１２６】
こうした減衰制御信号ＡＣＣLの生成に際して、相関評価部２１７は、信号ＳＣＤSRと反射音信号ＲＦＤLとの間の相関量に対応して、同相又は逆相で強い相関があるほど係数を小さくし、相関が弱いほど係数を大きくする態様で、「０」から「１」までの範囲で、当該係数の値を決定する。
【０１２７】
減衰制御信号ＡＣＣLを受けた減衰部２１８は、反射音信号生成部２１６からの反射音信号ＲＦＤLに、減衰制御信号ＡＣＣLにより指定された係数を乗じ、その乗算結果を覇者残響音信号ＲＤＣLとして、加算部２１２へ送る（図１４参照）。ここで、信号ＳＣＤSRと反射音信号ＲＦＤLとが、同相又は逆相で相関が強いほど大きく、相関が弱いほど小さな減衰率で、反射音信号ＲＦＤLが減衰されて、反射残響信号ＲＤＣLが生成される。
【０１２８】
そして、加算部２１２が、信号ＳＣＤSRと反射残響音信号ＲＤＣLとを加算することにより、信号ＳＣＤSRに、反射音信号ＲＦＤLとの相関に対応して信号レベルが調整された反射残響音信号ＲＤＣLを重畳させ、信号ＰＣＤSRを生成する。こうして生成された信号ＰＣＤSRは、アナログ処理部１１３へ送られる（図１４参照）。
【０１２９】
一方、個別反射残響音付与部２１０Ｃ2では、上記の個別反射残響音付与部２１０Ｃ1での場合と同様にして、信号ＳＣＤRに関する反射残響音信号ＲＤＣRを信号ＳＣＤSLに重畳させ、信号ＰＣＤSLを生成する。こうして生成された信号ＰＣＤSLは、アナログ処理部１１３へ送られる（図１４参照）。
【０１３０】
この後、第１及び第２実施形態の場合と同様にして、信号ＰＣＤL〜ＰＣＤSRは、ＤＡ変換部２３１においてアナログ信号ＡＣＳL〜ＡＣＳSRに変換される。引き続き、音量調整部２３２が、制御処理部１１５からの音量調整指令ＶＬＣに従って、アナログ信号ＡＣＳL〜ＡＣＳSRに対して音量調整処理を施し、アナログ信号ＶＣＳL〜ＶＣＳRSRとして、パワー増幅部２３３へ送る（図８参照）。
【０１３１】
アナログ信号ＶＣＳL〜ＶＣＳSRを受けたパワー増幅部２３３は、第１及び第２実施形態の場合と同様にして、アナログ信号ＶＣＳL〜ＶＣＳSRをパワー増幅して、出力音声信号ＡＯＳL〜ＡＯＳSRを生成し、スピーカユニット１３０L〜１３０SRへ送る。そして、スピーカユニット１３０L〜１３０SRが、出力音声信号ＡＯＳL〜ＡＯＳSRに従って、音声を再生出力する。
【０１３２】
この結果、スピーカユニット１３０L,１３０Rからは、音声コンテンツにおけるＬ，Ｒチャンネル音声が再生出力される。また、スピーカユニット１３０SLからは、音声コンテンツにおけるＳＬチャンネル音声に、当該ＳＬチャンネル音声との相関に対応する音量レベルのＲチャンネル音声の反射残響音が重畳された音声が再生出力される。また、スピーカユニット１３０SRからは、音声コンテンツにおけるＳＲチャンネル音声に、当該ＳＲチャンネル音声との相関に対応する音量レベルのＬチャンネル音声の反射残響音が重畳された音声が再生出力される。
【０１３３】
以上説明したように、本第３実施形態では、個別反射残響音付与部２１０Ｃ1において、信号ＳＣＤLを受けた反射音信号生成部２１６が、信号ＳＣＤLに基づいて、反射音信号ＲＦＤLを生成し、相関評価部２１７及び減衰部２１８へ送る。引き続き、相関評価部２１７が、信号ＳＣＤSRと反射音信号ＲＦＤLとの間を相関の評価することにより、信号ＳＣＤSRと反射残響音信号ＲＤＢLとの間の相関の評価を行う。そして、相関評価部２１７は、当該評価の結果に基づいて、減衰部２１８に設定する係数を指定した減衰制御信号ＡＣＣLを生成し、減衰部２１８へ送る。
【０１３４】
次に、減衰制御信号ＡＣＣL受けた減衰部２１８が、反射音信号生成部２１６からの反射音信号ＲＦＤLに減衰制御信号ＡＣＣLにより指定された係数を乗じ、その乗算結果を反射残響信号ＲＤＣLとして、加算部２１２へ送る。ここで、信号ＳＣＤSRと反射音信号ＲＦＤLとが、同相又は逆相で相関が強いほど大きく、相関が弱いほど小さな減衰率で、反射音信号ＲＦＤLが減衰されて、反射残響音信号ＲＤＣLが生成される。
【０１３５】
そして、加算部２１２が、信号ＳＣＤSRと反射残響音信号ＲＤＣLとを加算することにより、信号ＳＣＤSRに、反射音信号ＲＦＤLとの相関に対応して信号レベルが調整された反射残響音信号ＲＤＣLを重畳させ、スピーカユニット１３０SRへ向けて供給すべき信号ＰＣＤSRを生成する。
【０１３６】
また、個別反射残響音付与部２１０Ｃ2が、個別反射残響音付与部２１０Ｃ1と同様に動作して、信号ＳＣＤSLに、反射音信号ＲＦＤRとの相関に対応して信号レベルが調整された反射残響音信号ＲＤＢRを重畳させ、スピーカユニット１３０SLへ向けて供給すべき信号ＰＣＤSLを生成する。
【０１３７】
このため、スピーカユニット１３０SLから、音声コンテンツにおけるＳＬチャンネル音声に、Ｒチャンネル音声の反射音との相関に対応する音量レベルのＲチャンネル音声の反射残響音が重畳された音声が再生出力される。また、スピーカユニット１３０SRから、音声コンテンツにおけるＳＲチャンネル音声に、Ｌチャンネル音声の反射音との相関に対応する音量レベルのＬチャンネル音声の反射残響音が重畳された音声が再生出力される。
【０１３８】
したがって、本第３実施形態によれば、上述した第１及び第２実施形態の場合と同様に、反射残響音効果が過大になったり、反射残響音が重畳されるチャンネルで表現しようと意図されていた音響効果を低減させたりすることを抑止し、適切な反射残響音効果を実現することができる。
【０１３９】
本第３実施形態では、スピーカユニット１３０Lから再生出力されるＬチャンネル音声の反射残響音を、想定聴取位置Ｐに対して、スピーカユニット１３０Lの対角位置に配置されたスピーカユニット１３０SRから出力させる。また、スピーカユニット１３０Rから再生出力されるＲチャンネル音声の反射残響音を、想定聴取位置Ｐに対して、スピーカユニット１３０Rの対角位置に配置されたスピーカユニット１３０SLから出力させる。このため、上述した第１及び第２実施形態の場合と同様に、さらに適切な反射音効果を実現することができる。
【０１４０】
［実施形態の変形］
本発明は、上記の実施形態に限定されるものではなく、様々な変形が可能である。
【０１４１】
例えば、上記の第１〜第３実施形態では、４チャンネルサラウンド構成におけるＬ，Ｒチャンネル音声の反射残響音を、ＳＲ，ＳＬチャンネル音声用のスピーカユニットから出力させるようにした。これに対し、ＳＬ，ＳＲチャンネル音声の反射残響音を、Ｒ，Ｌチャンネル音声用のスピーカユニットから出力させるようにすることもできる。
【０１４２】
また、上記の第１〜第３実施形態では、４チャンネルサラウンド方式の音響装置に本発明を適用したが、５．１チャンネルサラウンド方式や、７．１チャンネルサラウンド方式を採用する音響装置に対しても、本発明を適用することができる。
【０１４３】
また、第２及び第３実施形態における相関評価部２１７が行う相関評価は、周知の相関係数を用いて行うようにしてもよい。この相関係数の絶対値は、同相又は逆相で相関が強いほど「１」に近い値をとり、相関が弱いほど「０」に近い値を取ることになる。このため、相関評価部２１７が、減衰部２１８に設定する係数を、相関係数の絶対値が「１」のときに「０」となり、相関係数の絶対値が「０」のときに「１」となるようにすればよい。
【０１４４】
また、上記の第２及び第３実施形態では、減衰部２１８に設定する係数値の可変範囲を０〜１としたが、任意の範囲とすることができる。
【０１４５】
また、上記の第２実施形態では、減衰部２１７により、チャンネル分離部１１１からの信号ＳＣＤL（ＳＣＤR）を減衰させることにしたが、第３実施形態の場合と同様に、信号ＳＣＤL（ＳＣＤR）に基づいて反射音信号生成部２１６により生成された反射音信号を減衰させるようにしてもよい。
【０１４６】
また、上記の第２及び第３実施形態では、減衰部２１８に設定する係数の可変範囲、及び、相関評価の変化に対する当該係数の変化態様を固定的とした。これに対し、例えば、操作入力ユニット１５０を介した利用者の指定に対応して、制御処理部１１５が、当該係数の可変範囲や当該係数の変化態様を、相関評価部２１６に対して指定することができるようにしてもよい。
【０１４７】
また、上記の第１〜第３実施形態では、反射音信号生成部２１６の反射音信号生成の態様を固定的とした。これに対し、例えば、操作入力ユニット１５０を介した利用者の指定に対応して、制御処理部１１５が、減衰係数ｒの値を反射音信号生成部２１６に対して指定できるようにしてもよい。
【０１４８】
また、上記の第１〜第３実施形態では、ドライブユニット１２０で記録媒体ＲＭに記録された音声コンテンツを読み取ることにしたが、ラジオ放送や地上デジタルテレビ放送を受信して、音声コンテンツを取得するようにすることもできる。
【０１４９】
なお、上記の第１〜第３実施形態における制御ユニットを中央処理装置（ＣＰＵ：Central Processor Unit）やＤＳＰ（Digital Signal Processor）を備えるコンピュータシステムとして構成し、チャンネル分離部、反射残響音付与部及び制御処理部の機能を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１５０】
【図１】本発明の第１実施形態に係る音響装置の構成を概略的に示す図である。
【図２】図１の４個のスピーカの配置位置及び想定聴取位置を説明するための図である。
【図３】図１の制御ユニットの構成を説明するためのブロック図である。
【図４】図３の反射残響音付与部の構成を説明するためのブロック図である。
【図５】図４の個別反射残響音付与部の構成を説明するためのブロック図である。
【図６】図５の無相関化部の構成を説明するためのブロック図である。
【図７】図５の反射音信号生成部の構成を説明するためのブロック図である。
【図８】図３のアナログ処理部の構成を説明するためのブロック図である。
【図９】本発明の第２実施形態に係る音響装置の構成を概略的に示す図である。
【図１０】図９の制御ユニット内の反射残響音付与部の構成を説明するためのブロック図である。
【図１１】図１０の個別反射残響音付与部の構成を説明するためのブロック図である。
【図１２】本発明の第３実施形態に係る音響装置の構成を概略的に示す図である。
【図１３】図１２の制御ユニット内の反射残響音付与部の構成を説明するためのブロック図である。
【図１４】図１３の個別反射残響音付与部の構成を説明するためのブロック図である。
【符号の説明】
【０１５１】
１００Ａ〜１００Ｃ  …  音響装置
２１１Ａ〜２１１Ｃ  …  反射残響音信号生成部（生成手段）
２１２              …  加算部（合成手段）
２１５              …  無相関化部（無相関化手段）
２１６              …  反射音信号生成部（信号生成手段、反射音信号生成手段）
２１７              …  相関評価部（評価手段）
２１８              …  減衰部（減衰手段）
【図１】
2009225407.tif 000003
【図２】
2009225407.tif 000004
【図３】
2009225407.tif 000005
【図４】
2009225407.tif 000006
【図５】
2009225407.tif 000007
【図６】
2009225407.tif 000008
【図７】
2009225407.tif 000009
【図８】
2009225407.tif 000010
【図９】
2009225407.tif 000011
【図１０】
2009225407.tif 000012
【図１１】
2009225407.tif 000013
【図１２】
2009225407.tif 000014
【図１３】
2009225407.tif 000015
【図１４】
2009225407.tif 000016